(57)【要約】【課題】マスク本体内の空間に有害粒子を侵入しにくくするマスク用アタッチメント、及びそれを備えたマスクを提供する。【解決手段】マスク用アタッチメント２０は、装着者の口を覆うマスク本体１０の両側端に沿って取り付けられる一対のマスク用アタッチメントである。マスク本体１０の左右両側には、装着者の耳に掛けられる一対の耳紐１２が設けられている。各マスク用アタッチメント２０は、切込部２２を有している。切込部２２には、マスク用アタッチメント２０がマスク本体１０に取り付けられた状態である取付状態で、各耳紐１２の中間部の一箇所１２ｃが固定される。【選択図】図１
2020122257.tif 000002
【特許請求の範囲】
【請求項１】
装着者の口を覆うマスク本体の両側端に沿って取り付けられる一対のマスク用アタッチメントであって、
前記マスク本体の左右両側には、前記装着者の耳に掛けられる一対の耳紐が設けられており、
当該各マスク用アタッチメントは、当該マスク用アタッチメントが前記マスク本体に取り付けられた状態である取付状態で前記各耳紐の中間部の一箇所が固定される第１の固定部を有していることを特徴とするマスク用アタッチメント。
【請求項２】
請求項１に記載のマスク用アタッチメントにおいて、
前記第１の固定部は、前記各耳紐の前記中間部の前記一箇所が掛止される第１の切込部であるマスク用アタッチメント。
【請求項３】
請求項２に記載のマスク用アタッチメントにおいて、
前記第１の切込部の終端は、前記取付状態で、前記マスク本体の上下方向について前記耳紐の上端部と下端部との間に位置するマスク用アタッチメント。
【請求項４】
請求項３に記載のマスク用アタッチメントにおいて、
前記第１の切込部の前記終端は、前記取付状態で、前記耳紐の前記下端部よりも前記上端部寄りに位置するマスク用アタッチメント。
【請求項５】
請求項４に記載のマスク用アタッチメントにおいて、
前記第１の切込部は、前記上下方向に対して斜めに延在しているマスク用アタッチメント。
【請求項６】
請求項５に記載のマスク用アタッチメントにおいて、
前記第１の切込部は、当該各マスク用アタッチメントの外側端に近づくにつれて、当該各マスク用アタッチメントの上端から次第に遠ざかるマスク用アタッチメント。
【請求項７】
請求項３乃至６の何れかに記載のマスク用アタッチメントにおいて、
前記取付状態で、前記第１の切込部の前記終端から前記耳紐の前記上端部までの前記上下方向の距離は、５ｍｍ以上２０ｍｍ以下であるマスク用アタッチメント。
【請求項８】
請求項２乃至７の何れかに記載のマスク用アタッチメントにおいて、
前記第１の切込部の始端は、当該各マスク用アタッチメントの外側端上に位置するマスク用アタッチメント。
【請求項９】
請求項１乃至８の何れかに記載のマスク用アタッチメントにおいて、
当該各マスク用アタッチメントは、前記取付状態で前記各耳紐の中間部の他の箇所が固定される第２の固定部を有しているマスク用アタッチメント。
【請求項１０】
請求項９に記載のマスク用アタッチメントにおいて、
前記第２の固定部は、前記各耳紐の前記中間部の前記他の箇所が掛止される第２の切込部であるマスク用アタッチメント。
【請求項１１】
請求項１０に記載のマスク用アタッチメントにおいて、
前記第２の切込部の終端は、前記取付状態で、前記マスク本体の上下方向について前記第１の切込部の終端と前記耳紐の下端部との間に位置するマスク用アタッチメント。
【請求項１２】
請求項１１に記載のマスク用アタッチメントにおいて、
前記第２の切込部の前記終端は、前記取付状態で、前記耳紐の上端部よりも前記下端部寄りに位置するマスク用アタッチメント。
【請求項１３】
請求項１２に記載のマスク用アタッチメントにおいて、
前記第２の切込部は、前記上下方向に対して斜めに延在しているマスク用アタッチメント。
【請求項１４】
請求項１３に記載のマスク用アタッチメントにおいて、
前記第２の切込部は、当該各マスク用アタッチメントの外側端に近づくにつれて、当該各マスク用アタッチメントの下端から次第に遠ざかるマスク用アタッチメント。
【請求項１５】
請求項１１乃至１４の何れかに記載のマスク用アタッチメントにおいて、
前記取付状態で、前記第２の切込部の前記終端から前記耳紐の前記下端部までの前記上下方向の距離は、５ｍｍ以上２０ｍｍ以下であるマスク用アタッチメント。
【請求項１６】
請求項１０乃至１５の何れかに記載のマスク用アタッチメントにおいて、
前記第２の切込部の始端は、当該各マスク用アタッチメントの外側端上に位置するマスク用アタッチメント。
【請求項１７】
請求項１乃至１６の何れかに記載のマスク用アタッチメントにおいて、
当該マスク用アタッチメントは、前記マスク本体の前記両側端から食み出すように当該マスク本体に取り付けられるマスク用アタッチメント。
【請求項１８】
請求項１乃至１７の何れかに記載のマスク用アタッチメントにおいて、
当該マスク用アタッチメントは、前記マスク本体の前記両側端の全体に沿って取り付けられるマスク用アタッチメント。
【請求項１９】
請求項１乃至１８の何れかに記載のマスク用アタッチメントにおいて、
当該マスク用アタッチメントの厚みは、前記マスク本体の厚みよりも大きいマスク用アタッチメント。
【請求項２０】
請求項１乃至１９の何れかに記載のマスク用アタッチメントにおいて、
当該マスク用アタッチメントは、前記マスク本体と異なる色を有するマスク用アタッチメント。
【請求項２１】
請求項１乃至２０の何れかに記載のマスク用アタッチメントにおいて、
当該マスク用アタッチメントには、図柄が描かれているマスク用アタッチメント。
【請求項２２】
請求項１乃至２１の何れかに記載のマスク用アタッチメントにおいて、
当該マスク用アタッチメントは、前記マスク本体に対して着脱可能であるマスク用アタッチメント。
【請求項２３】
請求項１乃至２２の何れかに記載のマスク用アタッチメントにおいて、
当該マスク用アタッチメントは、帯電状態にあるマスク用アタッチメント。
【請求項２４】
請求項１乃至２３の何れかに記載のマスク用アタッチメントにおいて、
当該マスク用アタッチメントは、抗菌成分を含有するマスク用アタッチメント。
【請求項２５】
請求項１乃至２４の何れかに記載のマスク用アタッチメントと、
前記マスク本体と、
を備えることを特徴とするマスク。
【請求項２６】
請求項２５に記載のマスクにおいて、
前記マスク本体には、前記マスク用アタッチメントの取付位置を示す印が付されているマスク。
【請求項２７】
請求項２５又は２６に記載のマスクにおいて、
前記マスク本体は、保水材が収容される保水材収容部を有するマスク。
【発明の詳細な説明】
【技術分野】
【０００１】
本発明は、マスク本体に取り付けられるマスク用アタッチメント、及びそれを備えたマスクに関する。
【背景技術】
【０００２】
従来のマスクとしては、例えば特許文献１に記載されたものがある。同文献に記載されたマスクは、装着者の鼻及び口を覆うマスク本体と、マスク本体を装着者の顔に固定するための耳紐とを備えている。マスク本体は、通気性のシート状素材から形成されている。耳紐は、マスク本体の左右両側に設けられている。
【先行技術文献】
【特許文献】
【０００３】
【特許文献１】特開２０１２−４０１６３号公報
【発明の概要】
【発明が解決しようとする課題】
【０００４】
かかるマスクは、マスク本体で鼻及び口を覆うことにより、鼻腔内や口腔内に有害粒子（ウィルス、細菌、花粉等）が入り込むのを阻止する機能を有する。しかしながら、マスク本体の両側端と顔との間に隙間が生じると、当該隙間を通じて、有害粒子がマスク本体内の空間（マスク本体と顔との間の空間）に侵入してしまうという問題がある。
【０００５】
本発明は、上記課題に鑑みてなされたものであり、マスク本体内の空間に有害粒子を侵入しにくくするマスク用アタッチメント、及びそれを備えたマスクを提供することを目的とする。
【課題を解決するための手段】
【０００６】
本発明者は、鋭意検討の結果、従来のマスクにおいてマスク本体の両側端と顔との間に隙間が生じる一因が、マスク本体の上端固定点（耳紐の上端部が固定された部位）及び下端固定点（耳紐の下端部が固定された部位）に働く耳紐からの力にあることを発見した。すなわち、マスク本体の各側端において上端固定点及び下端固定点が耳紐から内向き（各固定点からもう一方の固定点に向かう方向）の力を受けることにより当該側端が弛み、それが上記隙間の原因となる。本発明者は、かかる知見の下、本発明に至った。
【０００７】
本発明によるマスク用アタッチメントは、装着者の口を覆うマスク本体の両側端に沿って取り付けられる一対のマスク用アタッチメントであって、上記マスク本体の左右両側には、上記装着者の耳に掛けられる一対の耳紐が設けられており、当該各マスク用アタッチメントは、当該マスク用アタッチメントが上記マスク本体に取り付けられた状態である取付状態で上記各耳紐の中間部の一箇所が固定される第１の固定部を有していることを特徴とする。
【０００８】
このマスク用アタッチメントは、耳紐の中間部の一箇所が固定される第１の固定部を有している。取付状態においては、耳紐の上記箇所がマスク用アタッチメントに固定される。これにより、耳紐からマスク本体に直接働く力が緩和されるため、マスク本体の両側端が弛みにくくなる。
【０００９】
また、本発明によるマスクは、上記マスク用アタッチメントと、上記マスク本体と、を備えることを特徴とする。
【００１０】
このマスクにおいては、マスク本体に上述のマスク用アタッチメントが取り付けられる。取付状態においては、耳紐の上記箇所がマスク用アタッチメントに固定される。これにより、耳紐からマスク本体に直接働く力が緩和されるため、マスク本体の両側端が弛みにくくなる。
【発明の効果】
【００１１】
本発明によれば、マスク本体内の空間に有害粒子を侵入しにくくするマスク用アタッチメント、及びそれを備えたマスクが実現される。
【図面の簡単な説明】
【００１２】
【図１】本発明によるマスク用アタッチメント及びマスクの一実施形態を示す背面図である。
【図２】本発明によるマスク用アタッチメント及びマスクの一実施形態を示す正面図である。
【図３】マスク本体１０を示す背面図である。
【図４】マスク用アタッチメント２０を示す正面図である。
【図５】終端２２ｂから上端部１２ａまでの上下方向の距離ｄ１、及び終端２４ｂから下端部１２ｂまでの上下方向の距離ｄ２について説明するための図である。
【図６】上記実施形態の効果を説明するための図である。
【図７】上記実施形態の効果を説明するための図である。
【図８】上記実施形態の効果を説明するための図である。
【図９】上記実施形態の効果を説明するための図である。
【図１０】変形例に係るマスク用アタッチメント２０を示す背面図である。
【図１１】図１０のマスク用アタッチメント２０を下から見た様子を示す模式図である。
【図１２】図１０のマスク用アタッチメント２０を示す展開図である。
【図１３】切込部２２，２４の一変形例を説明するための図である。
【図１４】切込部２２，２４の他の変形例を説明するための図である。
【図１５】第１及び第２の固定部の変形例を説明するための図である。
【図１６】図１５の挟持部３２をマスク本体１０の上下方向から見た図である。
【図１７】図１５の挟持部３４をマスク本体１０の上下方向から見た図である。
【発明を実施するための形態】
【００１３】
以下、図面を参照しつつ、本発明の実施形態について詳細に説明する。なお、図面の説明においては、同一要素には同一符号を付し、重複する説明を省略する。
【００１４】
図１は、本発明によるマスク用アタッチメント及びマスクの一実施形態を示す背面図である。また、図２は、同実施形態を示す正面図である。マスク１は、マスク本体１０、及び一対のマスク用アタッチメント２０を備えている。マスク本体１０は、シート状をしており、装着者の口を覆う。マスク本体１０は、目、鼻及び口のうち、鼻及び口のみを覆ってもよいし、口のみを覆ってもよい。図１及び図２は、それぞれ、マスク本体１０の内面（装着者の顔に対向する面）及び外面を示している。マスク本体１０は、通気性を有する材料からなる。かかる材料としては、例えば、不織布、紙、又はガーゼを用いることができる。
【００１５】
マスク本体１０の左右両側には、一対の耳紐１２が設けられている。マスク１の装着時、耳紐１２は、装着者の耳に掛けられる。それにより、マスク本体１０が装着者の顔に固定される。耳紐１２は、その上端部１２ａ及び下端部１２ｂがマスク本体１０に固定されている。マスク本体１０の上端固定点（耳紐１２の上端部１２ａが固定された部位）は、マスク本体１０の上端１０ａの近傍に位置している。また、マスク本体１０の下端固定点（耳紐１２の下端部１２ｂが固定された部位）は、マスク本体１０の下端１０ｂの近傍に位置している。耳紐１２は、伸縮性を有している。耳紐１２としては、例えばゴム紐を用いることができる。マスク本体１０及び耳紐１２としては、一般的な市販のマスク（使い捨てされるタイプ又は繰り返し使用されるタイプの何れであってもよい。）を用いてもよい。
【００１６】
図３は、マスク本体１０を示す背面図である。マスク本体１０の内面には、マスク用アタッチメント２０の取付位置を示す印１４が付されている。本実施形態において印１４は、２組の鍵印からなる。１組は、マスク本体１０の左端１０ｃ付近に設けられた２つの鍵印からなり、片方のマスク用アタッチメント２０の角の位置を示している。もう１組は、マスク本体１０の右端１０ｄ付近に設けられた２つの鍵印からなり、もう片方のマスク用アタッチメント２０の角の位置を示している。
【００１７】
図１及び図２に戻って、一対のマスク用アタッチメント２０は、マスク本体１０の両側端（左端１０ｃ及び右端１０ｄ）に沿って取り付けられる。マスク用アタッチメント２０は、マスク本体１０に予め取り付けられていてもよいし、使用の際に装着者によって取り付けられてもよい。マスク用アタッチメント２０は、正面視でマスク本体１０の一部にのみ重なるように、マスク本体１０に取り付けられる。このとき、マスク本体１０を通じた呼吸の容易性を確保する観点から、マスク本体１０の大部分（マスク本体１０全体の面積の３／４以上の部分）がマスク用アタッチメント２０に重ならないことが好ましい。
【００１８】
片方のマスク用アタッチメント２０は、マスク本体１０の左端１０ｃに沿って取り付けられる。もう片方のマスク用アタッチメント２０は、マスク本体１０の右端１０ｄに沿って取り付けられる。これらのマスク用アタッチメント２０は、互いに別体に設けられており、後述する切込部２２、切込部２４及び固定手段２６の位置や大きさ等も含めて、互いに左右対称な構造をしている。
【００１９】
マスク用アタッチメント２０は、マスク本体１０の両側端から食み出すようにマスク本体１０に取り付けられる。具体的には、片方のマスク用アタッチメント２０は、マスク本体１０の左端１０ｃから食み出すようにマスク本体１０に取り付けられる。同様に、もう片方のマスク用アタッチメント２０は、マスク本体１０の右端１０ｄから食み出すようにマスク本体１０に取り付けられる。このように、各マスク用アタッチメント２０は、正面視でその一部のみがマスク本体１０に重なるように、マスク本体１０に取り付けられる。
【００２０】
また、マスク用アタッチメント２０は、マスク本体１０の両側端の全体に沿って取り付けられる。具体的には、片方のマスク用アタッチメント２０は、マスク本体１０の左端１０ｃの全体に沿って取り付けられる。同様に、もう片方のマスク用アタッチメント２０は、マスク本体１０の右端１０ｄの全体に沿って取り付けられる。
【００２１】
図４は、マスク用アタッチメント２０を示す正面図である。同図は、一対のマスク用アタッチメント２０を代表して、マスク本体１０の左端１０ｃに沿って取り付けられる方のマスク用アタッチメント２０の外面を示している。ここで、マスク用アタッチメント２０の外面とは、マスク用アタッチメント２０がマスク本体１０に取り付けられた状態（以下「取付状態」という。）で、装着者の顔に対向する面である内面とは反対側の面をいう。本実施形態において各マスク用アタッチメント２０は、矩形のシート状をしている。各マスク用アタッチメント２０の左右方向（マスク本体１０の左右方向に等しい。）の長さは、例えば１ｃｍ以上４ｃｍ以下である。各マスク用アタッチメント２０の上下方向（マスク本体１０の上下方向に等しい。）の長さは、マスク本体１０の左端１０ｃ及び右端１０ｄの長さに略等しく、例えば７ｃｍ以上１１ｃｍ以下である。
【００２２】
各マスク用アタッチメント２０は、切込部２２（第１の切込部）及び切込部２４（第２の切込部）、並びに固定手段２６を有している。切込部２２は、取付状態で各耳紐１２の中間部の一箇所１２ｃが固定される固定部（第１の固定部）である。取付状態で、切込部２２には各耳紐１２の中間部の箇所１２ｃが掛止されることにより固定される。切込部２４は、取付状態で各耳紐１２の中間部の他の箇所１２ｄが固定される固定部（第２の固定部）である。取付状態で、切込部２４には各耳紐１２の中間部の箇所１２ｄが掛止されることにより固定される。耳紐１２の中間部は、耳紐１２における上端部１２ａ及び下端部１２ｂを除いた部分である。
【００２３】
切込部２２は、一直線状の切込線からなる。切込部２２の長さは、例えば５ｍｍ以上１５ｍｍ以下である。本実施形態において切込部２２は、マスク本体１０の上下方向に対して斜めに延在している。具体的には、切込部２２は、各マスク用アタッチメント２０の外側端に近づくにつれて、当該各マスク用アタッチメント２０の上端から次第に遠ざかっている。ここで、マスク用アタッチメント２０の外側端とは、各マスク用アタッチメント２０の両側端のうち、取付状態でマスク本体１０の中心線（マスク本体１０を左右に二等分する直線）から遠い方の側端をいう。
【００２４】
切込部２２の始端２２ａは、各マスク用アタッチメント２０の外側端上に位置している。切込部２２の終端２２ｂは、各マスク用アタッチメント２０の中央部（各マスク用アタッチメント２０の端部以外の部分）に位置している。すなわち、切込部２２は、各マスク用アタッチメント２０の外側端から中央部まで延在している。また、切込部２２の全体が、各マスク用アタッチメント２０の食出部（取付状態でマスク本体１０から食み出す部分）内に存在している。耳紐１２を切込部２２に掛止するには、耳紐１２を始端２２ａから切込部２２に通して終端２２ｂまで差し込めばよい。このとき、耳紐１２の上端部１２ａから箇所１２ｃまでの部分に緩みがないようにすることが好ましい。
【００２５】
切込部２２の終端２２ｂは、取付状態で、マスク本体１０の上下方向について耳紐１２の上端部１２ａと下端部１２ｂとの間に位置している（図１及び図２参照）。すなわち、正面視で、終端２２ｂからマスク本体１０の上端１０ａを含む直線までの距離は上端部１２ａから当該直線までの距離よりも大きく、かつ終端２２ｂからマスク本体１０の下端１０ｂを含む直線までの距離は下端部１２ｂから当該直線までの距離よりも大きい。
【００２６】
切込部２２の終端２２ｂは、取付状態で、耳紐１２の下端部１２ｂよりも上端部１２ａ寄りに位置する。すなわち、終端２２ｂから上端部１２ａまでの距離は、終端２２ｂから下端部１２ｂまでの距離よりも小さい。取付状態で、終端２２ｂから上端部１２ａまでの上下方向の距離ｄ１（図５参照）は、５ｍｍ以上２０ｍｍ以下であることが好ましい。距離ｄ１は、上端部１２ａを通りマスク本体１０の左右方向に延びる直線Ｌ１と、終端２２ｂを通りマスク本体１０の左右方向に延びる直線Ｌ２との間の距離として定義される。
【００２７】
切込部２４は、一直線状の切込線からなる。切込部２４の長さは、例えば５ｍｍ以上１５ｍｍ以下である。本実施形態において切込部２４は、マスク本体１０の上下方向に対して斜めに延在している。具体的には、切込部２４は、各マスク用アタッチメント２０の外側端に近づくにつれて、当該各マスク用アタッチメント２０の下端から次第に遠ざかっている。
【００２８】
切込部２４の始端２４ａは、各マスク用アタッチメント２０の外側端上に位置している。切込部２４の終端２４ｂは、各マスク用アタッチメント２０の中央部に位置している。すなわち、切込部２４は、各マスク用アタッチメント２０の外側端から中央部まで延在している。また、切込部２４の全体が、各マスク用アタッチメント２０の食出部内に存在している。耳紐１２を切込部２４に掛止するには、耳紐１２を始端２４ａから切込部２４に通して終端２４ｂまで差し込めばよい。このとき、耳紐１２の下端部１２ｂから箇所１２ｄまでの部分に緩みがないようにすることが好ましい。
【００２９】
切込部２４の終端２４ｂは、取付状態で、マスク本体１０の上下方向について切込部２２の終端２２ｂと下端部１２ｂとの間に位置している（図１及び図２参照）。すなわち、正面視で、終端２４ｂからマスク本体１０の上端１０ａを含む直線までの距離は終端２２ｂから当該直線までの距離よりも大きく、かつ終端２４ｂからマスク本体１０の下端１０ｂを含む直線までの距離は下端部１２ｂから当該直線までの距離よりも大きい。
【００３０】
切込部２４の終端２４ｂは、取付状態で、耳紐１２の上端部１２ａよりも下端部１２ｂ寄りに位置する。すなわち、終端２４ｂから下端部１２ｂまでの距離は、終端２４ｂから上端部１２ａまでの距離よりも小さい。取付状態で、終端２４ｂから下端部１２ｂまでの上下方向の距離ｄ２（図５参照）は、５ｍｍ以上２０ｍｍ以下であることが好ましい。距離ｄ２は、下端部１２ｂを通りマスク本体１０の左右方向に延びる直線Ｌ３と、終端２４ｂを通りマスク本体１０の左右方向に延びる直線Ｌ４との間の距離として定義される。
【００３１】
固定手段２６は、各マスク用アタッチメント２０の内側端（外側端とは反対側の側端）付近に配設されており、当該内側端に沿って延在している。固定手段２６は、各マスク用アタッチメント２０をマスク本体１０に固定するための手段である。本実施形態において固定手段２６は、粘着剤からなる。片方のマスク用アタッチメント２０は、固定手段２６を介してマスク本体１０の内面に貼着されることにより、マスク本体１０の左端１０ｃ付近に固定される。もう片方のマスク用アタッチメント２０は、固定手段２６を介してマスク本体１０の内面に貼着されることにより、マスク本体１０の右端１０ｄ付近に固定される。
【００３２】
マスク用アタッチメント２０は、マスク本体１０に対して着脱可能である。ここで、着脱可能とは、マスク本体１０及びマスク用アタッチメント２０を損傷することなく、マスク用アタッチメント２０がマスク本体１０に取り付けられた状態と取り付けられていない状態とを交互に何度も切り替えられることをいう。かかる着脱可能なマスク用アタッチメント２０は、粘着剤（固定手段２６）の粘着力を適度に調整することにより実現することができる。
【００３３】
マスク用アタッチメント２０は、柔軟性を有している。マスク用アタッチメント２０の材料は、マスク本体１０の材料と同一であってもよいし、異なっていてもよい。マスク用アタッチメント２０の材料としては、例えば、不織布、紙、ガーゼの他、ウレタン、軟質ゴム、シリコン等を用いることができる。本実施形態においてマスク用アタッチメント２０の厚みは、マスク本体１０の厚みよりも大きい。マスク用アタッチメント２０は、マスク本体１０と同一の色を有していてもよいし、異なる色を有していてもよい。マスク用アタッチメント２０には、図柄が描かれていてもよい。かかる図柄としては、例えば、動物、スイーツ（デザート）、乗り物、又は、アニメや漫画等のキャラクターの図柄が挙げられる。
【００３４】
本実施形態の効果を説明する。マスク用アタッチメント２０は、耳紐１２の中間部の一箇所１２ｃが固定される固定部（切込部２２）を有している。取付状態においては、耳紐１２の箇所１２ｃがマスク用アタッチメント２０に固定される。これにより、耳紐１２からマスク本体１０に直接働く力が緩和されるため、マスク本体１０の両側端が弛みにくくなる。したがって、マスク本体１０内の空間に有害粒子を侵入しにくくするマスク用アタッチメント２０、及びそれを備えたマスク１が実現されている。
【００３５】
さらに、マスク用アタッチメント２０は、耳紐１２の中間部の他の箇所１２ｄが固定される固定部（切込部２４）を有している。取付状態においては、耳紐１２の箇所１２ｄもマスク用アタッチメント２０に固定される。これにより、耳紐１２からマスク本体１０に直接働く力が一層緩和されるため、マスク本体１０の両側端が一層弛みにくくなる。
【００３６】
このように本実施形態においては、耳紐１２からの力の作用点をマスク本体１０の上端固定点及び下端固定点からそれぞれマスク用アタッチメント２０の切込部２２及び切込部２４にシフトさせることにより、耳紐１２からの力をマスク本体１０からマスク用アタッチメント２０に逃がしている。これにより、マスク本体１０の両側端の弛みの原因となる力が、マスク本体１０に直接働きにくいようにすることができる。
【００３７】
また、マスク用アタッチメント２０がマスク本体１０の両側端と顔との間の隙間の少なくとも一部を塞ぐため、マスク本体１０内の空間の湿度を高く保ちやすくなる。当該空間の湿度を高めることにより、インフルエンザウィルス等の感染力を低下させる効果も期待できる。
【００３８】
本実施形態においては、耳紐１２の中間部の箇所１２ｃが固定される第１の固定部として、当該箇所１２ｃが掛止される切込部２２が設けられている。これにより、簡易な構成で、第１の固定部を実現することができる。同様に、耳紐１２の中間部の箇所１２ｄが固定される第２の固定部として、当該箇所１２ｄが掛止される切込部２４が設けられている。これにより、簡易な構成で、第２の固定部を実現することができる。
【００３９】
切込部２２の終端２２ｂは、取付状態で、マスク本体１０の上下方向について耳紐１２の上端部１２ａと下端部１２ｂとの間に位置している。この場合、終端２２ｂが各マスク用アタッチメント２０の上端近傍（図５に示した直線Ｌ１上の領域、及び直線Ｌ１よりも上の領域）に位置する場合に比して、切込部２２が耳紐１２から内向きの力を受けにくくなる。
【００４０】
切込部２４の終端２４ｂは、取付状態で、マスク本体１０の上下方向について切込部２２の終端２２ｂと下端部１２ｂとの間に位置している。この場合、終端２４ｂが各マスク用アタッチメント２０の下端近傍（図５に示した直線Ｌ３上の領域、及び直線Ｌ３よりも下の領域）に位置する場合に比して、切込部２４が耳紐１２から内向きの力を受けにくくなる。
【００４１】
図６〜図８を参照しつつ、マスク用アタッチメント２０が耳紐１２から内向きの力を受けにくくなる機序を説明する。図６は、終端２２ｂ及び終端２４ｂがそれぞれ各マスク用アタッチメント２０の上端近傍及び下端近傍に位置する場合を示している。この場合、マスク１の装着時、終端２２ｂが耳紐１２から斜め下向きの力Ｆ１を受けるとともに、終端２４ｂが耳紐１２から斜め上向きの力Ｆ２を受ける。そのため、力Ｆ１の分力ｆ１及び力Ｆ２の分力ｆ２が、内向きの力となり、それぞれ終端２２ｂ及び終端２４ｂに働く。分力ｆ１及び分力ｆ２は、それぞれ力Ｆ１及び力Ｆ２をマスク本体１０の上下方向と左右方向とに分解したときの上下方向の分力である。かかる内向きの力が、図７に示すように、マスク用アタッチメント２０の弛みを引き起こす原因となる。同図は、図６のマスク用アタッチメント２０を右方向から見た図である。
【００４２】
これに対し、図８は、マスク本体１０の上下方向について、終端２２ｂが耳紐１２の上端部１２ａと下端部１２ｂとの間に位置するとともに終端２４ｂが終端２２ｂと下端部１２ｂとの間に位置する場合を示している。この場合、力Ｆ１及び力Ｆ２の向きは、水平（マスク本体１０の左右方向）に近づく。すると、分力ｆ１及び分力ｆ２の値（内向きを正とする。）が小さくなる。このことは、マスク用アタッチメント２０が耳紐１２から内向きの力を受けにくくなることを意味する。これにより、マスク用アタッチメント２０が弛みにくくなるため、マスク１の装着時、マスク用アタッチメント２０の顔に対する密着度を高めることができる。
【００４３】
切込部２２の終端２２ｂは、取付状態で、耳紐１２の下端部１２ｂよりも上端部１２ａ寄りに位置している。かかる構成は、耳紐１２からの力の作用点をマスク本体１０の上端固定点からマスク用アタッチメント２０の切込部２２にシフトさせるのに適している。また、切込部２４の終端２４ｂは、取付状態で、耳紐１２の上端部１２ａよりも下端部１２ｂ寄りに位置している。かかる構成は、耳紐１２からの力の作用点をマスク本体１０の下端固定点からマスク用アタッチメント２０の切込部２４にシフトさせるのに適している。
【００４４】
切込部２２の終端２２ｂから耳紐１２の上端部１２ａまでの上下方向の距離ｄ１が大きい方が、上述の分力ｆ１を小さくするのに有利である。かかる観点から、距離ｄ１は、５ｍｍ以上であることが好ましい。他方、距離ｄ１が大きすぎると、マスク１の装着時、各マスク用アタッチメント２０の上部（図５に示した直線Ｌ２よりも上の部分）が捲れやすくなってしまう。かかる観点から、距離ｄ１は、２０ｍｍ以下であることが好ましい。
【００４５】
切込部２４の終端２４ｂから耳紐１２の下端部１２ｂまでの上下方向の距離ｄ２が大きい方が、上述の分力ｆ２を小さくするのに有利である。かかる観点から、距離ｄ２は、５ｍｍ以上であることが好ましい。他方、距離ｄ２が大きすぎると、マスク１の装着時、各マスク用アタッチメント２０の下部（図５に示した直線Ｌ４よりも下の部分）が捲れやすくなってしまう。かかる観点から、距離ｄ２は、２０ｍｍ以下であることが好ましい。
【００４６】
切込部２２は、マスク本体１０の上下方向に対して斜めに延在している。この場合、切込部２２の延在方向がマスク本体１０の上下方向に対して垂直である場合に比して、耳紐１２が切込部２２に掛止された状態を安定的に維持しやすくなる。
【００４７】
切込部２４は、マスク本体１０の上下方向に対して斜めに延在している。この場合、切込部２４の延在方向がマスク本体１０の上下方向に対して垂直である場合に比して、耳紐１２が切込部２４に掛止された状態を安定的に維持しやすくなる。
【００４８】
切込部２２は、各マスク用アタッチメント２０の外側端に近づくにつれて、当該マスク用アタッチメント２０の上端から次第に遠ざかるように斜めに延在している。同様に、切込部２４は、各マスク用アタッチメント２０の外側端に近づくにつれて、当該マスク用アタッチメント２０の下端から次第に遠ざかるように斜めに延在している。この場合、図９に示すように、各マスク用アタッチメント２０の切込部２２及び切込部２４に外向きの力（分力ｆ３，ｆ４）が働きやすくなる。分力ｆ３は、力Ｆ１を切込部２２に平行な方向と垂直な方向とに分解したときの垂直方向の分力である。また、分力ｆ４は、力Ｆ２を切込部２４に平行な方向と垂直な方向とに分解したときの垂直方向の分力である。これにより、マスク用アタッチメント２０が上下に引っ張られるため、マスク用アタッチメント２０を一層弛みにくくすることができる。
【００４９】
切込部２２の始端２２ａは、マスク用アタッチメント２０の外側端上に位置している。かかる構成は、耳紐１２を切込部２２に通しやすくするのに有利である。同様に、切込部２４の始端２４ａは、マスク用アタッチメント２０の外側端上に位置している。かかる構成は、耳紐１２を切込部２４に通しやすくするのに有利である。
【００５０】
マスク用アタッチメント２０は、マスク本体１０の両側端から食み出すようにマスク本体１０に取り付けられる。このため、各マスク用アタッチメント２０の食出部で、マスク本体１０内の空間に侵入しようとする有害粒子を遮断することができる。このようにマスク本体１０の外側で有害粒子を遮断することにより、マスク本体１０内の空間への有害粒子の侵入を未然に防ぐことができる。
【００５１】
マスク用アタッチメント２０は、マスク本体１０の両側端の全体に沿って取り付けられる。この場合、マスク用アタッチメント２０がマスク本体１０の両側端の一部にのみ沿って取り付けられる場合に比して、マスク用アタッチメント２０による有害粒子の遮断効果を高めることができる。
【００５２】
マスク用アタッチメント２０の厚みは、マスク本体１０の厚みよりも大きい。これにより、有害粒子がマスク用アタッチメント２０を通り抜けにくくなる。このことも、マスク用アタッチメント２０による有害粒子の遮断効果の向上に資する。また、マスク用アタッチメント２０の厚みを大きくすることは、耳紐１２が切込部２２，２４に掛止された状態を安定的に維持する上でも有利である。
【００５３】
マスク用アタッチメント２０がマスク本体１０と異なる色を有する場合、マスク１のファッション性を向上させることができる。マスク用アタッチメント２０に図柄が描かれている場合も、同様である。特に、動物、スイーツ、乗り物、又はキャラクターの図柄は、子供の関心を強く惹く。そのため、これらの図柄がマスク用アタッチメント２０に描かれている場合、子供が嫌がらずにマスク１を装着し易くなる。
【００５４】
マスク用アタッチメント２０は、固定手段２６を有している。このため、固定手段を別途用意しなくても、マスク用アタッチメント２０をマスク本体１０に固定することができる。特に固定手段２６が接着剤である場合、マスク本体１０に対するマスク用アタッチメント２０の固定を容易に行うことができる。
【００５５】
マスク用アタッチメント２０は、マスク本体１０に対して着脱可能である。これにより、マスク１は、マスク本体１０に対してマスク用アタッチメント２０が取り付けられた状態、取り外された状態の何れでも使用することができるため、装着者にとっての利便性が高まる。
【００５６】
マスク本体１０には、マスク用アタッチメント２０の取付位置を示す印１４が付されている。これにより、マスク用アタッチメント２０を取り付ける際、マスク本体１０に対する各マスク用アタッチメント２０の位置合わせを容易に行うことができる。
【００５７】
耳紐１２は、伸縮性を有している。この場合、耳紐１２の張力（収縮力）により、耳紐１２からの力の作用点に働く力が大きくなる。そのため、耳紐１２からの力に起因するマスク本体１０の両側端の弛みの問題が顕著となる。それゆえ、上述のように耳紐１２からマスク本体１０に直接働く力を緩和することのできる本実施形態が特に有用となる。
【００５８】
本発明は、上記実施形態に限定されるものではなく、様々な変形が可能である。上記実施形態においてマスク本体１０は、保水材が収容される袋状ないしポケット状の保水材収容部を有していてもよい。その場合、保水材収容部に保水材を収容した状態でマスク１を使用することにより、マスク本体１０内の空間の湿度を高めることができる。
【００５９】
上記実施形態においてマスク用アタッチメント２０は、帯電状態にあってもよい。かかるマスク用アタッチメント２０は、マスク用アタッチメント２０の材料としてコロナ処理やプラズマ処理等により静電気を帯電させた不織布等を用いることにより実現することができる。この場合、マスク用アタッチメント２０の静電気で有害粒子を吸着して捕捉することができる。これにより、マスク用アタッチメント２０による有害粒子の遮断効果を一層向上させることができる。
【００６０】
上記実施形態においてマスク用アタッチメント２０は、抗菌成分を含有していてもよい。その場合、雑菌が繁殖するのを抑制することができるため、より衛生的にマスク用アタッチメント２０ひいてはマスク１を使用することができる。
【００６１】
上記実施形態においては、各マスク用アタッチメント２０が、折り曲げられていない１枚のシートからなる場合を例示した。しかし、各マスク用アタッチメント２０は、例えば図１０に示すように、１枚のシートを折り曲げることにより形成されてもよい。図１１は、図１０のマスク用アタッチメント２０を下から見た様子を示す模式図である。また、図１２は、図１０のマスク用アタッチメント２０を示す展開図である。なお、図１１においては、見やすくするため、折り曲げられたシート間に隙間を空けて図示している。
【００６２】
各マスク用アタッチメント２０は、山折線Ｍ１、谷折線Ｖ１〜Ｖ３、及び切目Ｃ１，Ｃ２を有している。山折線Ｍ１に沿って山折りするとともに谷折線Ｖ１〜Ｖ３に沿って谷折りすることにより、図１０に示したマスク用アタッチメント２０を得ることができる。切目Ｃ１及び切目Ｃ２は、それぞれ切込部２２及び切込部２４を構成している。なお、切目Ｃ１，Ｃ２は、各マスク用アタッチメント２０を山折線Ｍ１及び谷折線Ｖ１〜Ｖ３に沿って折り曲げる前に形成してもよいし、折り曲げた後に形成してもよい。このように１枚のシートを折り曲げて各マスク用アタッチメント２０を形成することにより、薄いシートを用いても各マスク用アタッチメント２０の厚みを大きく確保することができる。
【００６３】
上記実施形態においては、マスク用アタッチメント２０の厚みがマスク本体１０の厚みよりも大きい場合を例示した。しかし、マスク用アタッチメント２０の厚みは、マスク本体１０の厚みに等しくてもよいし、マスク本体１０の厚みより小さくてもよい。
【００６４】
上記実施形態においては、マスク用アタッチメント２０がマスク本体１０の両側端から食み出すようにマスク本体１０に取り付けられる場合を例示した。しかし、マスク用アタッチメント２０は、マスク本体１０の両側端から食み出さないようにマスク本体１０に取り付けられてもよい。すなわち、マスク用アタッチメント２０は、正面視でマスク用アタッチメント２０の全体がマスク本体１０に重なるように、マスク本体１０に取り付けられてもよい。
【００６５】
上記実施形態においては、マスク用アタッチメント２０がマスク本体１０の両側端の全体に沿って取り付けられる場合を例示した。しかし、マスク用アタッチメント２０は、マスク本体１０の両側端の一部にのみ沿って取り付けられてもよい。すなわち、片方のマスク用アタッチメント２０はマスク本体１０の左端１０ｃの一部にのみ沿って取り付けられてもよいし、もう片方のマスク用アタッチメント２０はマスク本体１０の右端１０ｄの一部にのみ沿って取り付けられてもよい。
【００６６】
上記実施形態においては、切込部２２の始端２２ａ及び切込部２４の始端２４ａが各マスク用アタッチメント２０の外側端上に位置する場合を例示した。しかし、始端２２ａ，２４ａは、各マスク用アタッチメント２０の外側端以外の端部（内側端、上端、又は下端）上に位置してもよい。
【００６７】
上記実施形態においては、切込部２２の終端２２ｂがマスク本体１０の上下方向について耳紐１２の上端部１２ａと下端部１２ｂとの間に位置する場合を例示した。しかし、終端２２ｂは、各マスク用アタッチメント２０の上端近傍に位置してもよい。
【００６８】
上記実施形態においては、切込部２４の終端２４ｂがマスク本体１０の上下方向について切込部２２の終端２２ｂと下端部１２ｂとの間に位置する場合を例示した。しかし、終端２４ｂは、各マスク用アタッチメント２０の下端近傍に位置してもよい。
【００６９】
上記実施形態においては、各切込部２２，２４がマスク本体１０の上下方向に対して斜めに延在する場合を例示した。しかし、各切込部２２，２４の延在方向は、マスク本体１０の上下方向に対して平行であってもよいし、垂直であってもよい。
【００７０】
上記実施形態においては、各切込部２２，２４が一直線状をしている場合を例示した。しかし、各切込部２２，２４は、例えば図１３に示すように、２本以上の線分（折線）からなっていてもよい。同図において、切込部２２は、始端２２ａからマスク本体１０の左右方向に延びる線分、及び当該線分と連続し終端２２ｂまでマスク本体１０の上下方向に延びる線分からなる。同様に、切込部２４は、始端２４ａからマスク本体１０の左右方向に延びる線分、及び当該線分と連続し終端２４ｂまでマスク本体１０の上下方向に延びる線分からなる。あるいは、各切込部２２，２４は、例えば図１４に示すように、曲線状をしていてもよい。
【００７１】
上記実施形態においては、切込部２２及び切込部２４の双方がマスク用アタッチメント２０に設けられた場合を例示した。しかし、マスク用アタッチメント２０には、切込部２２又は切込部２４の何れか一方のみが設けられていてもよい。切込部２４のみが設けられる場合は、切込部２４が「第１の切込部」に相当する。
【００７２】
上記実施形態においては、マスク用アタッチメント２０がマスク本体１０の内面に固定される場合を例示した。しかし、マスク用アタッチメント２０は、マスク本体１０の外面に固定されてもよい。その場合、印１４は、マスク本体１０の外面に付される。また、固定手段２６は、マスク用アタッチメント２０の内面に設けられる。
【００７３】
上記実施形態においては、マスク用アタッチメント２０に固定手段２６が設けられた場合を例示した。しかし、マスク用アタッチメント２０に固定手段２６を設けることは、必須でない。マスク用アタッチメント２０に固定手段２６を設けない場合、装着者側で別途用意した粘着テープ等の固定手段により、マスク用アタッチメント２０をマスク本体１０に固定すればよい。
【００７４】
上記実施形態においては、耳紐１２が伸縮性を有する場合を例示した。しかし、耳紐１２は、伸縮性を有していなくてもよい。その場合、耳紐１２の材料としては、例えば不織布を用いることができる。
【００７５】
上記実施形態においては、第１及び第２の固定部がそれぞれ第１及び第２の切込部である場合を例示した。しかし、第１及び第２の固定部としては、それぞれ耳紐１２の中間部の箇所１２ｃ及び箇所１２ｄを固定できるものである限り、切込み以外の手段を用いてもよい。例えば、第１及び第２の固定部は、それぞれ、図１５に示す挟持部３２及び挟持部３４であってもよい。挟持部３２は、図１６に示すように、板状部３２ａ及び連結部３２ｂからなる。同図は、図１５の挟持部３２をマスク本体１０の上下方向から見た図である。連結部３２ｂの一端は、板状部３２ａの一部（中心を含む部分）にのみ接続されている。連結部３２ｂの他端は、マスク用アタッチメント２０に固定されている。挟持部３２は、板状部３２ａとマスク用アタッチメント２０との間に耳紐１２の中間部の箇所１２ｃを挟み込んで固定する。
【００７６】
挟持部３４は、図１７に示すように、板状部３４ａ及び連結部３４ｂからなる。同図は、図１５の挟持部３４をマスク本体１０の上下方向から見た図である。連結部３４ｂの一端は、板状部３４ａの一部（中心を含む部分）にのみ接続されている。連結部３４ｂの他端は、マスク用アタッチメント２０に固定されている。挟持部３４は、板状部３４ａとマスク用アタッチメント２０との間に耳紐１２の中間部の箇所１２ｄを挟み込んで固定する。かかる挟持部３２，３４の材料としては、例えば、金属、樹脂、紙等を用いることができる。
【００７７】
あるいは、マスク用アタッチメント２０がマスク本体１０に予め取り付けられている場合、第１及び第２の固定部には、それぞれ耳紐１２の箇所１２ｃ及び箇所１２ｄが、溶着、接着又はホチキス留等の手段により予め固定されていてもよい。溶着としては、超音波溶着、熱溶着等が挙げられる。接着は、ホットメルト接着が好ましい。ホチキス留は、樹脂製又は紙製のホチキス針を用いることが好ましい。
【符号の説明】
【００７８】
１  マスク
１０  マスク本体
１０ａ  上端
１０ｂ  下端
１０ｃ  左端
１０ｄ  右端
１２  耳紐
１２ａ  上端部
１２ｂ  下端部
１２ｃ  中間部の一箇所
１２ｄ  中間部の他の箇所
１４  印
２０  マスク用アタッチメント
２２  切込部（第１の固定部）
２２ａ  始端
２２ｂ  終端
２４  切込部（第２の固定部）
２４ａ  始端
２４ｂ  終端
２６  固定手段
３２  挟持部（第１の固定部）
３２ａ  板状部
３２ｂ  連結部
３４  挟持部（第２の固定部）
３４ａ  板状部
３４ｂ  連結部
【図１】
2020122257.tif 000003
【図２】
2020122257.tif 000004
【図３】
2020122257.tif 000005
【図４】
2020122257.tif 000006
【図５】
2020122257.tif 000007
【図６】
2020122257.tif 000008
【図７】
2020122257.tif 000009
【図８】
2020122257.tif 000010
【図９】
2020122257.tif 000011
【図１０】
2020122257.tif 000012
【図１１】
2020122257.tif 000013
【図１２】
2020122257.tif 000014
【図１３】
2020122257.tif 000015
【図１４】
2020122257.tif 000016
【図１５】
2020122257.tif 000017
【図１６】
2020122257.tif 000018
【図１７】
2020122257.tif 000019